(57)【特許請求の範囲】
【請求項１】
マンホール（１）の周壁に透設された取付孔（２）内に可撓性を有する管継手（４）の一部を嵌入し、前記管継手（４）の内周面に沿い該管継手（４）と同心円状に管継手用取付けリング（６）を拡張リング（３０）を介して拡張し、前記管継手（４）の外周面と前記取付孔（２）の内面とを密封するリング拡張装置（４０）であって、
前記リング拡張装置（４０）が、ビーム部（４１）、該ビーム部（４１）の長手方向に沿い夫々第１枢軸（４４）及び第２枢軸（４５）を介して揺動自在に吊持された第１脚部（４２）及び第２脚部（４３）と、前記第１脚部（４２）の第１支軸（４６）及び前記第２脚部（４３）の第２支軸（４７）間を通り前記ビーム部（４１）に略平行するように延在して前記両脚部（４２，４３）を脚部揺動スパーン（ＳＷ）に沿って揺動拡張させる拡張ねじ部（４８）と、前記両脚部（４２，４３）の各下方端部（４２ａ，４３ａ）に配設した第１及び第２係止爪部（５０，５１）とを具備して成り、
前記拡張リング（３０）が、環状フープ体の両端末部に前記第１及び第２係止爪部（５０，５１）を係合可能な係止爪受容部（３５，３６）を具備して成ることを特徴とするリング拡張装置。
【請求項２】
前記拡張リング（３０）が、前記各係止爪受容部（３５，３６）の近傍に各拡張ハンドル（３８，３９）を配設して成ることを特徴とする請求項１に記載のリング拡張装置。
【請求項３】
前記拡張リング（３０）が、前記各係止爪受容部（３５、３６）の何れか一方をヒンジ部（３７）によって旋回自在に軸支されることを特徴とする請求項１又は２に記載のリング拡張装置。
【発明の詳細な説明】
【０００１】
【発明の属する技術分野】
本発明は、マンホールと接続管を接続する可撓性管継手に充分な水封性を付与する管継手用取付けリングを拡張するリング拡張装置に関するものである。
【０００２】
【従来の技術】
通常、排水等の配管系中に点在するマンホールは、上下流側配管がコンクリート製の周壁に透設した取付孔に対し、地震等の外力が加えられても破損、漏水しないように可撓性を有するゴム材等から成る可撓性管継手を介して接続されている。
図５は、接続が完了した状態のマンホールと接続管の要部断面図、図６は管継手用取付けリング６と該リング６を拡張する取付けリング拡張装置１３を示す正面図である。
【０００３】
従来の管継手用取付けリング６は、マンホール１の周壁に透設した取付孔２に可撓性を有する可撓性管継手４の一部を嵌入し、更に前記管継手４の内周面に沿い該管継手４と同心円状に前記管継手用取付けリング６を拡張することにより、該管継手４の外周面と前記取付孔２の内面間の密封化を図っていた。一方、前記管継手４の反マンホール側端部は、別の取付けリング５によってその外周面が該管継手４の内部に挿入された接続管３を緊縛するように締め付けられて、マンホール１に対する配管接続が完了するものであった。
【０００４】
前記管継手用取付けリング６は例えば、特開平１０−１９５９００号公報に開示されているように、フランジ部８をその円周端縁に沿って一体的に形成し、更に前記拡張後の両端末部７ａ，７ｂの係止を可能にするに足るオーバーラップ領域１３を有して環状に形成されたフープ部７から成り、更に、前記オーバーラップ領域ＯＬにおける前記フープ部７の内周側端末部７b 及びその近傍は、図７及び図８に拡大して示したように、前記フランジ部８を除去して前記フープ部７の外周側端末部７ａにおけるフランジ部８との当接を回避する一方、前記内周側端末部７b 近傍の内周面上に複数個のラチェット状の爪部９を配設して、前記フープ部７の外周側端末部７ａの両内側壁間に架橋された爪受部１０に前記爪部９が逆止的に係止可能に形成されていた。
【０００５】
一方、前記取付けリング拡張装置１３は例えば、特開平１０−１９５９０１号公報に開示されているように、ビーム部１４、該ビーム部１４の長手方向に沿い第１枢軸１７及び第２枢軸１８を介して夫々揺動自在に吊持された第１脚部１５及び第２脚部１６、前記ビーム部１４の長手方向に沿い該ビーム部１４の一方端部から第２枢軸１８の軸芯に向け延在して前記第２脚部１６を脚部滑動スパーンＳＬに沿いながら滑動させる滑動ねじ部１９、前記第１脚部１５の第１支軸２１と前記第２脚部１６の第２支軸２２との間を通り前記滑動ねじ部１９と平行に延在して前記第２脚部１６を脚部揺動スパーンＳＷに沿いながら揺動拡張させる拡張ねじ部２０を具備して成っていた。
【０００６】
前記取付けリング拡張装置１３は、前記管継手用取付けリング６の拡張口径に応じて前記滑動ねじ部１９による前記脚部滑動スパーンＳＬと、前記拡張ねじ部２０による前記脚部揺動スパーンＳＷを適宜調整しながら前記第１脚部１５及び第２脚部１６を滑動、拡張させ、前記管継手用取付けリング６を前記両端末部７ａ，７ｂ近傍に配設した各拡張脚受部１１，１２に前記各脚部の端末部１５ａ，１６ｂを当接させることにより、前記管継手用取付けリング６を所定の口径まで拡張させて前記管継手４の外周面と前記取付孔２の内面間の密封化を図っていた。
【０００７】
【発明が解決しようとする課題】
しかしながら、前記取付けリング拡張装置１３は、前記各脚部の端末部１５ａ，１６ｂから前記各拡張脚受部１１，１２に拡張力を集中的に与えるので、前記各拡張脚受部１１，１２が変形し易く、その結果、前記管継手用取付けリング６を所定の口径まで拡張できず、前記管継手４の外周面と前記取付孔２の内面間の密封性に著しい低下を招くことがあった。
【０００８】
本発明は、前述した従来技術の問題点を解消し、マンホール取付孔及び管継手の各種口径寸法あるいは同一寸法における製作上のバラツキに対し確実に対応し、取付け操作が容易な取付けリング拡張装置を提供することを目的とするものである。
【０００９】
【課題を解決するための手段】
本発明のかかる目的は、マンホールの周壁に透設された取付孔内に可撓性を有する管継手の一部を嵌入し、前記管継手の内周面に沿い該管継手と同心円状に管継手用取付けリングを拡張リングを介して拡張し、前記管継手の外周面と前記取付孔の内面とを密封するリング拡張装置であって；前記リング拡張装置が、ビーム部、該ビーム部の長手方向に沿い夫々第１枢軸及び第２枢軸を介して揺動自在に吊持された第１脚部及び第２脚部と、前記第１脚部の第１支軸及び前記第２脚部の第２支軸間を通り前記ビーム部に略平行するように延在して前記両脚部を脚部揺動スパーンに沿って揺動拡張させる拡張ねじ部と、前記両脚部の各下方端部に配設した第１及び第２係止爪部とを具備して成り；前記拡張リングが、環状フープ体の両端末部に前記第１及び第２係止爪部を係合可能な係止爪受容部を具備して成ることを特徴とするリング拡張装置によって達成される。
【００１０】
更に、本発明のかかる目的は、前記拡張リングが、前記各係止爪受容部の近傍に各拡張ハンドルを配設して成ることを特徴とするリング拡張装置によって達成される。
【００１１】
更に、本発明のかかる目的は、前記拡張リングが、前記各係止爪受容部の何れか一方をヒンジ部によって旋回自在に軸支されることを特徴とするリング拡張装置によって達成される。
【００１２】
【作用】
本発明の取付けリング拡張装置は、前記マンホールの周壁に透設された前記取付孔内に可撓性を有する前記管継手の一部を嵌入し、前記管継手の内周面に沿い該管継手と同心円状に前記管継手用取付けリングを前記拡張リングを介して拡張し、前記管継手の外周面と前記取付孔の内面とを密封する前記リング拡張装置であって；前記取付けリング拡張装置が、前記ビーム部、該ビーム部の長手方向に沿い夫々前記第１枢軸及び第２枢軸を介して揺動自在に吊持された前記第１脚部及び第２脚部と、前記第１脚部の第１支軸及び前記第２脚部の第２支軸間を通り前記ビーム部に略平行するように延在して前記両脚部を前記脚部揺動スパーンに沿って揺動拡張させる前記拡張ねじ部と、前記両脚部の各下方端部に配設した前記第１及び第２係止爪部とを具備して成り；前記拡張リングが、前記環状フープ体の両端末部に前記第１及び第２係止爪部を係合可能な前記係止爪受容部を具備して成るので、前記リング拡張装置によって拡張された前記拡張リングの前記環状フープ体の外周面が、前記管継手用取付けリングの内周面の略全周域に略同等の拡張力を以て当接して前記管継手用取付けリングを所定の口径まで拡張させる。
【００１３】
更に、本発明のリング拡張装置は、前記拡張リングが、前記各係止爪受容部の近傍に前記各拡張ハンドルを配設して成るので、拡張始動段階で前記管継手用取付けリング口径内への前記拡張リングの装着操作を容易にするため、前記各拡張ハンドルによって前記拡張リングの口径を一旦前記管継手用取付けリングの口径以下に手動で縮小させる。
【００１４】
更に、本発明のリング拡張装置は、前記拡張リングが、前記各係止爪受容部の何れか一方を前記ヒンジ部によって旋回自在に軸支して成るので、前記ヒンジ部によって前記各係止爪受容部の何れか一方を旋回させ、前記拡張リングの前記環状フープ体の有効周長を短縮することによって、前記拡張リングの口径を前記管継手用取付けリングの口径よりも一層縮小させる。
【００１５】
【発明の実施の形態】
本発明の取付けリング拡張装置の一実施態様について、添付した図面に基づき以下に詳述する。なお、前述した従来の管継手用取付けリングと共通する部材については、同一の符号を用いて説明する。
図１は、管継手用取付けリング６の拡張操作の始動直前にある本発明のリング拡張装置５０及び拡張リング３０の正面図、図２は管継手用取付けリング６の拡張操作の終了直前にある本発明のリング拡張装置５０及び拡張リング３０の正面図、図３は図２における本発明のリング拡張装置５０及び拡張リング３０の要部を拡大して示した正面図、図４は本発明の拡張リング３０の一方の係止爪受容部３６及びその周辺を示した斜視図である。
【００１６】
本発明のリング拡張装置４０が対象とする管継手用取付けリング６も前述した従来の管継手用取付けリング６と同様に、マンホール１の周壁に透設された取付孔２内に可撓性を有する管継手４の一部を嵌入し、前記管継手４の内周面に沿い該管継手４と同心円状に拡張することにより、前記管継手４の外周面と前記取付孔２の内面間の密封化を図るものである。
更に、前記管継手用取付けリング６は、フランジ部８をその円周端縁に沿って一体的に形成し、更に前記拡張後の両端末部７ａ，７ｂの係止を可能にするに足るオーバーラップ領域ＯＬを有して環状に形成されたフープ部７から成り、更に、前記オーバーラップ領域ＯＬにおける前記フープ部７の内周側端末部７b 及びその近傍は、前記フランジ部８を除去して前記フープ部７の外周側端末部７ａにおけるフランジ部８との当接を回避する一方、前記内周側端末部７b 近傍の内周面上に複数個のラチェット状の爪部９を配設して、前記フープ部７の外周側端末部７ａの両内側壁間に架橋された爪受部１０に前記爪部９が逆止的に係止可能に形成される。
【００１７】
一方、本発明のリング拡張装置４０は、ビーム部４１、該ビーム部４１の長手方向に沿い夫々第１枢軸４４及び第２枢軸４５を介して揺動自在に吊持された第１脚部４２及び第２脚部４３と、前記第１脚部４２の第１支軸４６及び前記第２脚部４３の第２支軸４７間を通り前記ビーム部４１に略平行するように延在して前記両脚部４２，４３を脚部揺動スパーンＳＷに沿って揺動拡張させる拡張ねじ部４８と、前記両脚部４２，４３の各下方端部４２ａ，４３ａに配設した第１及び第２係止爪部５０，５１とを具備して成る。なお、５０ａはボルト貫通孔である。
【００１８】
また、本発明の拡張リング３０は、環状フープ体の両端末部に前記リング拡張装置４０の前記第１及び第２係止爪部５０，５１を係合可能な各係止爪受容部３５，３６を具備し、一方の係止爪受容部３５の側壁には前記第１係止爪部５０の前記ボルト貫通孔５０ａと同一軸芯にボルト貫通孔３５ａを透設し、必要に応じて前記第１係止爪部５０を予め前記係止爪受容部３５に固定可能にする。
なお、前記管継手用取付けリング６の拡張操作を容易にするために、前記各係止爪受容部３５，３６の近傍に各拡張ハンドル３８，３９を配設することが好ましい。更に、前記拡張リング３０は、前記各係止爪受容部３５、３６の何れか一方をヒンジ部３７によって旋回自在に軸支することにより、前記拡張リング３０の口径を一層縮小させることもできる。
【００１９】
更に、前記一方の係止爪受容部３６は、図３及び図４に拡大して示したように、前記環状フープ体の大部分を占めるフープ部３１の一方端部３１ａ近傍の内周面上に溶接された固定フープ部３３に対し、前記ヒンジ部３７を介して矢印ＣＣ方向に旋回自在に軸支された旋回フープ部３４の一方端部３４ａ寄りの内周面上に保持される。
なお、前記拡張ハンドル３９は、前記固定フープ部３３の上面に取り付けられた前記ヒンジ部３７の部材上に配設され、手動操作が可能な長さを以て前記固定フープ部３３から幅方向に延伸する。
【００２０】
前記他方の係止爪受容部３５は、前記フープ部３１の他方端部３１ｂ近傍の内周面上に溶接された固定フープ部３２の他方端部３２ｂ寄りの内周面上に保持される。前記拡張ハンドル３８は、前記他方の係止爪受容部３５の後部に配設される。
なお、前記固定フープ部３２の一方端部３２ａの近傍は、前記フープ部３１の他方端部３１ｂの厚さだけ上方に位置して、前記複数個のラチェット状の爪部９との接触を回避している。
【００２１】
以上のように構成される本発明のリング拡張装置４０は先ず、拡張始動段階で前記拡張リング３０の前記各拡張ハンドル３８，３９によって自然状態にある前記拡張リング３０の口径を一旦前記管継手用取付けリング６の口径以下に手動で縮小させて、前記拡張リング３０を前記管継手用取付けリング６の口径内へ挿着した後、前記リング拡張装置４０本体の前記拡張ねじ部４８のナット部４９をスパナ等の治具を利用して回動し、前記第１及び第２脚部４２，４３を前記脚部揺動スパーンＳＷに沿って揺動拡張させる。
前記両脚部４２，４３の各下方端部４２ａ，４３ａに配設した前記第１及び第２係止爪部５０，５１が前記拡張リング３０の前記各係止爪受容部３５，３６における各凹部に嵌入し、更に前記拡張ねじ部４８の回動を継続すると、やがて前記環状のフープ部３１の外周面が、前記管継手用取付けリング６の内周面の略全周域に略同等の拡張力を以て当接して前記管継手用取付けリング６を所定の口径まで拡張させる。
【００２２】
更に、前記管継手用取付けリング６の本発明の口径が比較的小さい場合、前記一方の係止爪受容部３６を前記ヒンジ部３７を中心にして旋回、折り畳んで、前記拡張リング３０の実質的な周長を短縮させた後、前記拡張ハンドル３８，３９で前記拡張リング３０の口径の縮小化を図る。
なお、本発明に基づく前記拡張リング３０は、前記各係止爪受容部３５，３６の何れか一方を前記ヒンジ部３７によって旋回自在に軸支すれば良いが、前記各係止爪受容部３５，３６を夫々旋回自在に形成しても何等不都合が生じない。
【００２３】
【発明の効果】
以上、記述した本発明のリング拡張装置は、次に記すような新規な効果を奏するものである。即ち、本発明の取付けリング拡張装置は、前記マンホールの周壁に透設された前記取付孔内に可撓性を有する前記管継手の一部を嵌入し、前記管継手の内周面に沿い該管継手と同心円状に前記管継手用取付けリングを前記拡張リングを介して拡張し、前記管継手の外周面と前記取付孔の内面とを密封する前記リング拡張装置であって；前記取付けリング拡張装置が、前記ビーム部、該ビーム部の長手方向に沿い夫々前記第１枢軸及び第２枢軸を介して揺動自在に吊持された前記第１脚部及び第２脚部と、前記第１脚部の第１支軸及び前記第２脚部の第２支軸間を通り前記ビーム部に略平行するように延在して前記両脚部を前記脚部揺動スパーンに沿って揺動拡張させる前記拡張ねじ部と、前記両脚部の各下方端部に配設した前記第１及び第２係止爪部とを具備して成り；前記拡張リングが、前記環状フープ体の両端末部に前記第１及び第２係止爪部を係合可能な前記係止爪受容部を具備して成るので、前記リング拡張装置によって拡張された前記拡張リングの前記環状フープ体の外周面が、前記管継手用取付けリングの内周面の略全周域に略同等の拡張力を以て当接し、前記管継手用取付けリングの如何なる部材も破損させることなく、前記管継手用取付けリングを所定の口径まで拡張させることが可能になった。
【００２４】
更に、本発明のリング拡張装置は、前記拡張リングが、前記各係止爪受容部の近傍に前記各拡張ハンドルを配設して成るので、拡張始動段階で前記管継手用取付けリング口径内への前記拡張リングの装着操作を容易にするため、前記各拡張ハンドルによって前記拡張リングの口径を一旦前記管継手用取付けリングの口径以下に手動で縮小させることが可能になった。
【００２５】
更に、本発明のリング拡張装置は、前記拡張リングが、前記各係止爪受容部の何れか一方を前記ヒンジ部によって旋回自在に軸支して成るので、前記ヒンジ部によって前記各係止爪受容部の何れか一方を旋回させ、前記拡張リングの前記環状フープ体の有効周長を短縮することによって、前記拡張リングの口径を前記管継手用取付けリングの口径よりも一層縮小させることが可能になった。
【図面の簡単な説明】
【図１】管継手用取付けリング６の拡張操作の始動直前にある本発明のリング拡張装置及び拡張リングの正面図である。
【図２】管継手用取付けリング拡張操作の終了直前にある本発明のリング拡張装置及び拡張リングの正面図である。
【図３】図２における本発明のリング拡張装置及び拡張リングの要部を拡大して示した正面図である。
【図４】本発明の拡張リングの一方の係止爪受容部及びその周辺を示した斜視図である。
【図５】接続が完了した状態のマンホールと接続管の要部断面図である。
【図６】管継手用取付けリングと該リングを拡張する従来の取付けリング拡張装置を示す正面図である。
【図７】図６の管継手用取付けリングの要部を拡大して示した平面図である。
【図８】図７のＡ−Ａ線に沿って切断した断面図である。
【符号の説明】
１    マンホール
２    取付孔
３    接続管
４    管継手
５    別の取付けリング
６    管継手用取付けリング
７    フープ部
８    フランジ部
９    爪部
10    爪受部
11    拡張脚受部
12    拡張脚受部
OL    オーバーラップ領域
13    従来の取付けリング拡張装置
14    ビーム部
15    第１脚部
16    第２脚部
17    第１枢軸
18    第２枢軸
19    滑動ねじ部
20    拡張ねじ部
21    第１支軸
22    第２支軸
SL    脚部滑動スパーン
SW    脚部揺動スパーン
30    本発明の拡張リング
31    フープ部
32    固定フープ部
33    固定フープ部
34    旋回フープ部
35    係止爪受容部
36    係止爪受容部
37    ヒンジ部
38    拡張ハンドル
39    拡張ハンドル
40    本発明のリング拡張装置
41    ビーム部
42    第１脚部
43    第２脚部
44    第１枢軸
45    第２枢軸
46    第１支軸
47    第２支軸
48    拡張ねじ部
49    ナット部
50    第１係止爪部
51    第２係止爪部
【図１】
0003821593.tif 000002
【図２】
0003821593.tif 000003
【図３】
0003821593.tif 000004
【図４】
0003821593.tif 000005
【図５】
0003821593.tif 000006
【図６】
0003821593.tif 000007
【図７】
0003821593.tif 000008
【図８】
0003821593.tif 000009